(57)【要約】【課題】光制御シートの変形に起因する出射光の輝度ムラを防止する。【解決手段】フレームに取り付けられた光源ユニットからの光が、フレーム内の導光板及び光制御シートを介して面状に出射するようになっている。このうち、光源ユニットは、蛍光ランプ１２と、この蛍光ランプ１２を収容するリフレクターと、このリフレクターを支持した状態でフレームに取り付けられるリフレクター支持体とを備えている。蛍光ランプ１２には、少なくとも一対のＯリング３５が嵌合されるとともに、これらＯリング３５，３５の間に複数のＯリング５４が隣り合うように嵌合されている。そして、蛍光ランプ１２がＯリング３５，５４を介してリフレクター内に支持されている。リフレクターが反っている場合、Ｏリング５４が導光板の入射面に押圧され、リフレクターの反りが矯正される。【選択図】図１３
2005050821.tif 000002
【特許請求の範囲】
【請求項１】
フレームに取り付けられた光源ユニットからの光が、前記フレーム内に収容された導光板及び光制御シートを介して面状に出射される面光源装置において、
前記光源ユニットは、
前記導光板の側面に対向するように配置される棒状光源と、
この棒状光源を収容し、この棒状光源の光を前記導光板の側面に案内するリフレクターと、
このリフレクターを支持した状態で前記フレームに取り付けられるリフレクター支持体と、を備え、
前記棒状光源には、少なくとも一対の環状部材が嵌合されるとともに、これら環状部材の間に複数の環状部材が隣り合うように嵌合され、
前記棒状光源が前記環状部材を介して前記リフレクター内に支持されたことを特徴とする面光源装置。
【請求項２】
フレームに取り付けられた光源ユニットからの光が、前記フレーム内に収容された導光板及び光制御シートを介して面状に出射される面光源装置において、
前記光源ユニットは、
前記導光板の側面に対向するように配置される棒状光源と、
この棒状光源を収容し、この棒状光源の光を前記導光板の側面に案内するリフレクターと、
このリフレクターを支持した状態で前記フレームに取り付けられるリフレクター支持体と、を備え、
前記棒状光源には、少なくとも一対の環状部材が嵌合されるとともに、これら環状部材の間に略円筒状の弾性部材が嵌合され、
前記棒状光源が前記環状部材及び略円筒状の弾性部材を介して前記リフレクター内に支持されたことを特徴とする面光源装置。
【請求項３】
前記請求項１又は２に記載の面光源装置と、この面光源装置から出射された光で照明される画像表示パネルと、を備えた画像表示装置。
【発明の詳細な説明】
【技術分野】
【０００１】
この発明は、携帯型パソコン，ナビゲーション装置，携帯型情報通信端末機，電子辞書，各種モニター等に使用される液晶表示パネル等の画像表示部を面状に照明する面光源装置及びこの面光源装置を備えた画像表示装置に関する。
【背景技術】
【０００２】
従来から知られている画像表示装置としての液晶表示装置は、携帯型パソコン等に使用され、面光源装置から出射される面状の照明光を液晶表示パネル（画像表示部）に照射し、液晶表示パネルの表面上に画像を表示させるようになっている（特許文献１参照）。
【０００３】
図１６及び図１８は、このような液晶表示装置１００に使用される面光源装置１０１を示すものである。これらの図に示すように、面光源装置１０１は、樹脂製のフレーム２内に反射シート３，導光板４及び複数枚の光制御シート５〜８が順次収容されており、導光板４の入射面１０（側面）側に光源ユニット１１が配置されるようになっている。光源ユニット１１は、導光板４の側面に対向するように配置される棒状光源としての蛍光ランプ１２と、この蛍光ランプ１２の光を反射して導光板４の入射面１０に導くリフレクター１３と、この蛍光ランプ１２を収容したリフレクター１３を支持した状態でフレーム２に固定される金属製のリフレクター支持体１４と、を有している。
【０００４】
そして、このように構成された面光源装置１０１は、蛍光ランプ１２からの光を導光板４の出射面３６から面状に出射し、その導光板４からの出射光を複数枚の光制御シート５〜８を通すことにより、導光板４からの出射光を液晶表示パネル１６に向かう方向へ集光し、均一で明るい面状の照明光にするようになっており、その面状の照明光で液晶表示パネル１６を照明するようになっている。
【０００５】
近年、特に携帯型パソコンに使用される液晶表示装置１００は、携帯型パソコンの持ち運びやすさや画面の見やすさ等がより一層求められているため、ますます薄型化・軽量化が図られると共に、有効表示領域（表示画面）の大型化が図られている。その結果、このような液晶表示装置１００は、液晶表示パネル１６が狭額縁化され、液晶表示パネル１６の周囲部分が小さくなっている。
【０００６】
その結果、上述のような液晶表示装置１００に使用される面光源装置１０１は、液晶表示パネル１６の狭額縁化に対応するため、樹脂製フレーム２の肉厚が薄くなり、とりわけ、樹脂製フレーム２のうちで蛍光ランプ１２が収容される部分（第１の辺２１）の剛性が小さい。そこで、リフレクター支持体１４の板状基部４３をフレーム２の第１の辺２１に略直交する一対の辺（第２の辺３０と第３の辺３１）の下面に図示しないねじで固定し、リフレクター支持体１４の板状基部４３から起立させた側壁部４４〜４６を第１〜第３の辺２１，３０，３１の外側に係合し、リフレクター支持体１４でフレーム２を補強するようになっている。
【０００７】
【特許文献１】特開２０００−２３１１０２
【発明の開示】
【発明が解決しようとする課題】
【０００８】
しかしながら、このような面光源装置１０１の樹脂製フレーム２は、第１の辺２１の肉厚が他辺の肉厚に比較して極めて薄くなるため、射出成形後の収縮量が第１の辺２１よりも他辺の方が大きく、第１の辺２１が図１６の二点鎖線や図１９で示すように内側に僅かに湾曲変形することがある。なお、図１６は、フレーム２の変形を強調するため、変形量を誇張して示してある。
【０００９】
このような場合、フレーム２と光制御シート５〜８との隙間量よりもフレーム２の第１の辺２１の湾曲変形量の方が大きいと、フレーム２によって光制御シート５〜８が圧縮され、光制御シート５〜８にシワが生じ、この光制御シート５〜８のシワに起因する出射光の輝度ムラが発生することがある。
【００１０】
また、リフレクター１３は、金属薄板を板金加工することにより、図１７及び図１８に示すような断面略コ字形状で且つ長尺形状に形成されており、フレーム２の補強部材としても機能するリフレクター支持体１４に比較して剛性が小さい。しかも、このようなリフレクター１３は、その両端部にそれぞれ蛍光ランプ１２に嵌着されたゴム製のランプ保持体２２，２３が係合され、その両端部がランプ保持体２２，２３と共にフレーム２に保持されるようになっているが、その両端部を除く中間部分がフレーム２やリフレクター支持体１４に係止されるようになっていない。
【００１１】
したがって、図１７に示す二点鎖線のように、リフレクター１３に板金加工時の反りが生じている場合には、図２０〜図２１に示すように、リフレクター１３の中間部分が導光板４側に必要以上に食い込むことになり、蛍光ランプ１２と導光板４の側面（入射面１０）との間隔が狭くなって、導光板４の出射面３６側からも導光板４の内部に蛍光ランプ１２の光Ｌが入射し、その出射面３６側から入射した光の分だけ輝度の高い出射光が部分的に生じる。また、リフレクター１３によって光制御シート５〜８が圧縮されて、光制御シート５〜８にシワが生じて、この光制御シート５〜８のシワに起因する出射光の輝度ムラが発生することがある。
【００１２】
そこで、本発明は、フレームやリフレクターの変形に起因する出射光の輝度ムラを効果的に防止でき、均一で明るい照明を可能とする面光源装置及びこの面光源装置を備えた画像表示装置を提供することを目的とする。
【課題を解決するための手段】
【００１３】
請求項１の発明に係る面光源装置は、フレームに取り付けられた光源ユニットからの光が、前記フレーム内に収容された導光板及び光制御シートを介して面状に出射されるようになっている。そして、前記光源ユニットは、前記導光板の側面に対向するように配置される棒状光源と、この棒状光源を収容し、この棒状光源の光を前記導光板の側面に案内するリフレクターと、このリフレクターを支持した状態で前記フレームに取り付けられるリフレクター支持体と、を備えている。そして、前記棒状光源には、少なくとも一対の環状部材が嵌合されるとともに、これら環状部材の間に複数の環状部材が隣り合うように嵌合されている。また、前記棒状光源が前記環状部材を介して前記リフレクター内に支持されている。ここで、環状部材には、Ｏリングや略Ｃ形状のリングが含まれる。また、環状部材は、外形形状がリフレクターの内面及び導光板の側面にほぼ密接する形状に形成され、内面が棒状光源に嵌合する形状に形成されたものであってもよい。すなわち、環状部材は、棒状光源の外周を囲むように配置され、棒状光源をリフレクター内に支持できるものであればよい。
【００１４】
このような構成の本発明によれば、仮にリフレクターが反りを生じており、棒状光源がそのリフレクターによって導光板の側面（入射面）に近づくように湾曲変形させられても、一対の環状部材間に配置された複数の環状部材の弾性力でリフレクターの反りを矯正でき、蛍光ランプと導光板との間に十分なスペースを確保することができ、導光板が過度に棒状光源に近づかないようにすることができる。その結果、光制御シートがリフレクターで圧縮されてシワを発生するようなことがない。
【００１５】
請求項２の発明に係る面光源装置は、フレームに取り付けられた光源ユニットからの光が、前記フレーム内に収容された導光板及び光制御シートを介して面状に出射されるようになっている。そして、前記光源ユニットは、前記導光板の側面に対向するように配置される棒状光源と、この棒状光源を収容し、この棒状光源の光を前記導光板の側面に案内するリフレクターと、このリフレクターを支持した状態で前記フレームに取り付けられるリフレクター支持体と、を備えている。そして、前記棒状光源には、少なくとも一対の環状部材が嵌合されるとともに、これら環状部材の間に略円筒状の弾性部材が嵌合されている。また、前記棒状光源が前記環状部材及び略円筒状の弾性部材を介して前記リフレクター内に支持されている。
【００１６】
このような構成の本発明によれば、略円筒状の弾性部材が前記発明における隣り合う複数の環状部材に対応し、リフレクターの反りを矯正することができる。その結果、光制御シートがリフレクターで圧縮されてシワを発生するようなことがない。
【００１７】
請求項３の発明に係る画像表示装置は、上述のような面光源装置のいずれかと、この面光源装置から出射された光で照明される画像表示パネルと、を備えていることを特徴としている。
【００１８】
このような構成の画像表示装置によれば、面光源装置から出射される均質で明るい面状の照明光により画像表示パネルが照明され、画像の表示品質の向上を図ることが可能になる。
【発明の効果】
【００１９】
以上のように、本発明に係る面光源装置は、フレームの湾曲変形やリフレクターの反りを矯正することにより、光制御シートがフレームやリフレクターで押圧されてシワが発生するのを防止できると共に、導光板の出射面側から蛍光ランプの光が入射するのを防止できるため、導光板から出射する面状の光の輝度ムラを抑え、均一で明るい面照明が可能になる。
【００２０】
また、本発明に係る画像表示装置は、上述のような面光源装置から発せられる均一で明るい面状の照明光によって画像表示パネルが照明されるようになっているため、画像表示パネルの画像表示品質が向上する。
【発明を実施するための最良の形態】
【００２１】
以下、本発明を実施するための最良の形態を図面に基づき詳述する。
［第１の実施の形態］
図１〜図３は、本発明の第１の実施の形態に係る面光源装置１を示すものである。このうち、図１は、面光源装置１の平面図である。また、図２は、面光源装置１を分解して示す平面図である。また、図３は、図１のＡ−Ａ線に沿って切断して示す面光源装置１の拡大断面図である。
【００２２】
（面光源装置の概略構成）
これらの図に示すように、面光源装置１は、構成部品を収容するフレーム２と、このフレーム２内に順次重ねて収容される反射シート３，導光板４，及び複数枚の光制御シート５〜８と、導光板４の入射面（一方の側面）１０に対向するようにフレーム２に取り付けられる光源ユニット１１と、を備えている。そして、光源ユニット１１は、棒状光源としての蛍光ランプ１２と、この蛍光ランプ１２を収容するリフレクター１３と、蛍光ランプ１２を収容したリフレクター１３を支持するリフレクター支持体１４と、を備えている。このうち、リフレクター１３は、蛍光ランプ１２の光を反射して導光板４の入射面１０へ導くようになっている。
【００２３】
（フレーム）
このうち、フレーム２は、図１〜図８に示すように、ＰＣ（ポリカーボネイト）やＰＭＭＡ（ポリメタクリル酸メチル）等の白色の合成樹脂を射出成形することにより略矩形形状に形成されており、上記反射シート３，導光板４及び複数枚の光制御シート５〜８を収容支持する導光板収容部１５と、液晶表示パネル等の画像表示パネル１６を最上部の光制御シート８の表面に対して僅かな隙間をもって収容支持する画像表示パネル収容部１７と、光源ユニット１１の蛍光ランプ１２及びリフレクター１３を収容する光源収容部１８と、が形成されている。そして、このフレーム２は、面光源装置１の小型化・軽量化を図るため、肉厚が可能な限り薄く形成され、導光板収容部１５の底面２０が肉抜きされている。尚、導光板収容部１５の底面２０は、反射シート３や導光板４等を支持でき、画像表示パネル１６の制御用部品（図示せず）等を取り付けることができる形状になっている。
【００２４】
また、このフレーム２は、図４〜図７に詳細を示すように、導光板４の入射面１０側の一辺（第１の辺）２１の下面側両端部に、後述する蛍光ランプ１２の両端部のランプ保持体２２，２３が係合されるランプ保持体収容凹部２４，２５がそれぞれ形成されている。そして、フレーム２の第１の辺２１の下面側には、リフレクター１３が収容されるようになっている。したがって、フレーム２の第１の辺２１は、他辺よりも薄肉に形成されており、他辺よりも剛性が小さくなっている。そこで、この第１の辺２１をリフレクター支持体１４で補強するようになっている。すなわち、図３及び図８に詳細を示すように、第１の辺２１の上面には、リフレクター支持体１４の複数のフック２６が係合される略矩形形状のフック収容凹部２７と、リフレクター支持体１４の複数のフック２６に係合される突起２８が形成されている。この第１の辺２１のフック収容凹部２７にリフレクター支持体１４のフック２６を収容すると共に、第１の辺２１の突起２８にリフレクター支持体１４のフック２６を係合することにより、フレーム２の第１の辺２１とリフレクター支持体１４とを着脱可能に一体化することができ、フレーム２の第１の辺２１の内側への湾曲変形（図１６の二点鎖線）を阻止することができる。尚、フック２６の上面が第１の辺２１の上面から上方へ突出しないように、フック２６の形状及びフック収容凹部２７の凹み量等を決定することが好ましい。このようにすれば、フック２６に他の部品等が引っかかりにくく、フック２６が突起２８から外れにくくなる。
【００２５】
また、フレーム２は、第１の辺２１に略直交する第２の辺３０と第３の辺３１の内側に、導光板４及び反射シート３の両端部に形成された略矩形形状の切り欠き部３２，３３に係合する位置決め突起３４がそれぞれ形成されている。これにより、面光源装置１に振動や衝撃が作用しても、導光板４がフレーム２内でずれ動くのを規制でき、導光板４が蛍光ランプ１２に衝突することに起因する蛍光ランプ１２の破損を防止することが可能になる。
【００２６】
（光源ユニット）
光源ユニット１１は、図１〜図３，図９〜図１２に示すように、棒状光源としての蛍光ランプ１２と、この蛍光ランプ１２を収容するリフレクター１３と（図９参照）、リフレクター１３を支持するリフレクター支持体１４とを備えている（図１０参照）。このうち、蛍光ランプ１２は、その両端部にゴム製のランプ支持体２２，２３が係合されており、その中央部に対してほぼ対称の位置に一対のゴム製のＯリング３５が間隔をあけて嵌合されている（図２参照）。リフレクター支持体１４は、リフレクター１３の端部に係合されると共に、フレーム２の第１の辺２１に形成されたランプ支持体収容凹部２４，２５に係合されるようになっている（図５，図６参照）。また、Ｏリング３５，３５は、リフレクター１３の内面に蛍光ランプ１２が直接的に接触するのを防止し、蛍光ランプ１２を衝撃から保護するため、蛍光ランプ１２をリフレクター１３内で弾性的に支持するようになっている。尚、グランド側のケーブル３９が第１の辺２１とリフレクター１３との間の空間に収容されている（図３参照）。
【００２７】
リフレクター１３は、ステンレス鋼板等の薄い金属板が板金加工されたものであり、導光板４の出射面３６端部に密接する第１の板状部３７と、反射シート３の下面側に密接すると共にリフレクター支持体１４によって支持される第２の板状部３８と、これら第１の板状部３７と第２の板状部３８とを接続する立ち上がり壁部４０とを備えており、フレーム２の第１の辺２１と略同程度の長さに形成された長尺体である。このうち、第１の板状部３７は、導光板４の出射面３６の入射面１０側（側面側）端部から導光板４内部への光の侵入を阻止するようになっている。また、第２の板状部３８の先端の長手方向（蛍光ランプ１２の軸線に沿った方向）の略中央部には、下面側へ突出する突起４１が形成されている。そして、このリフレクター１３の突起４１に係合する穴４２が、リフレクター支持体１４の板状基部４３に形成されている。したがって、リフレクター１３の突起４１をリフレクター支持体１４の穴４２に係合させることにより、仮にリフレクター１３が板金加工に伴う反りを生じていても（図１７の二点鎖線参照）、その反りを矯正でき、また、リフレクター１３の変形を招くような作用が生じても、リフレクター１３が変形することなく、リフレクター支持体１４に対してリフレクター１３を位置決めすることができる。
【００２８】
リフレクター支持体１４は、フレーム２の第２の辺３０と第３の辺３１の下面側に図示しないねじで固定される板状基部４３と、フレーム２の第１の辺２１の外面，第２の辺３０の外面及び第３の辺３１の外面をそれぞれ支持するように板状基部４３から起立する側壁部４４〜４６と、を備えている。このリフレクター支持体１４は、上述のリフレクター１３と同様に、ステンレス鋼板等の金属板が板金加工によって形成されたものであるが、上述のリフレクター１３よりも厚肉で剛性が大きく、フレーム２を補強するようになっている。また、このリフレクター支持体１４は、フレーム２の第１の辺２１の外面側に位置する側壁部４４の上端に、第１の辺２１に形成された突起２８に係合するフック２６が一対折り曲げ形成されている。そして、このリフレクター支持体１４のフック２６をフレーム２の突起２８に係合することにより、フレーム２の第１の辺２１が内側に湾曲変形するのを阻止することが可能になる。尚、フック２６は、略矩形状の枠部２６ａの内側に第１の辺２１の突起２８に係合する穴２６ｂが形成されている。
【００２９】
このような光源ユニット１１は、まず、図３及び図９に示すように、蛍光ランプ１２がリフレクター１３内に収容され、ついで、図１０に示すように、リフレクター１３がリフレクター支持体１４に組み合わされる。この際、上述のように、リフレクター１３の突起４１をリフレクター支持体１４の穴４２に係合させる。すなわち、リフレクター１３の第２の板状部３８とリフレクター支持体１４の板状基部４３とを凹凸係合させる。これにより、リフレクター１３とリフレクター支持体１４を位置決めすることができると共に、リフレクター１３の湾曲変形を矯正することができる。ついで、図１１に示すように、リフレクター支持体１４のフック２６をフレーム２の第１の辺２１の突起２８に係合し、リフレクター１３の第２の板状部３８及びリフレクター支持体１４の板状基部４３のねじ穴４７，４８に図示しないねじを挿通し、そのねじでリフレクター１３及びリフレクター支持体１４をフレーム２の第２の辺３０及び第３の辺３１の下面側に固定する。これによって、フレーム２と光源ユニット１１が一体化される。その後、フレーム２の導光板収容部１５内に反射シート３，導光板４，複数の光制御シート５〜８が収容されて、面光源装置１が組み立てられる（図１〜図３参照）。さらに、フレーム２の画像表示パネル収容部１７に液晶表示パネル１６が収容され、画像表示装置としての液晶表示装置５０が組み立てられる（図３参照）。
【００３０】
（導光板）
導光板４は、光透過性に優れたＰＣ，ＰＭＭＡ，シクロオレフィン系樹脂材料等により形成されており、蛍光ランプ１２に直交する方向の縦断面形状が蛍光ランプ１２から遠ざかるに従って薄くなるような楔形形状を呈し、出射面（上面）３６の形状が略矩形形状を呈するようになっている。そして、この導光板４は、その入射面１０側の両端部に略矩形形状の切り欠き部３２が形成されており、この切り欠き部３２がフレーム２の第２の辺３０及び第３の辺３１の内側に形成された位置決め突起３４に係合されるようになっている。また、この導光板４は、その外形寸法が導光板４とフレーム２の温度膨張の差や吸湿膨張の差及び製造誤差等を考慮して決定されており、面光源装置１が使用される条件下において、入射面１０を除く他の側面と導光板収容部１５の側壁との間に僅かな隙間が生じるようになっている。また、この導光板４は、後述する反射シート３や光制御シート５〜８のように柔軟なシート状部材と異なり、簡単に変形しないような十分な剛性を有している。このような導光板４は、入射面１０から内部に入射した蛍光ランプ１２からの光が導光板４内部を伝播し、その伝播の過程において出射面３６に対して臨界角以下の角度で入射する光が出射面３６から出射するようになっている。尚、導光板４の出射面３６から光を出射させるための手段については、従来より様々なものが知られており、これらのものから適宜選択して採用することができる。
【００３１】
（反射シート）
反射シート３は、光反射性に優れた樹脂材料（例えば、白色のＰＥＴ（ポリエチレンテレフタレート））でシート状に形成されたものであり、導光板４の出射面３６と反対側の面（下面）５１に対応するような矩形形状を呈し、導光板４の下面５１から出射した光を反射して導光板４内部に戻すように機能する。この反射シート３は、その蛍光ランプ１２側先端部の両端に、導光板４の切り欠き部３２に対応するような切り欠き部３３が形成されており、その切り欠き部３３がフレーム２の第２の辺３０及び第３の辺３１の内側に形成された位置決め突起３４に係合されるようになっている。
【００３２】
（光制御シート）
導光板４の出射面３６に対向するように配置される拡散シート（第１の光制御シート）５と、この拡散シート５の上面側に対向するように配置される一対のプリズムシート（第２及び第３の光制御シート）６，７と、これら一対のプリズムシート６，７の上面側に配置される光拡散性を備えた保護シート（第４の光制御シート）８とが光制御シートを構成している。これら第１〜第４の光制御シート５〜８は、光透過性に優れた樹脂材料（例えば、ＰＥＴ（ポリエチレンテレフタレート））で形成されており、導光板４の出射面３６に対応するような略矩形形状に形成されている。そして、これら第１〜第４の光制御シート５〜８は、順次導光板４の上方の導光板収容部１５内に収容されるとともに、図示しないテープやクリップ等の固定手段によってフレーム２に係止され、フレーム２内でのずれ動きが防止される。
【００３３】
（第１の実施の形態の作用・効果）
以上のように構成された本実施の形態に係る面光源装置１は、フレーム２の第１の辺２１に形成した突起２８がリフレクター支持体１４のフック２６に係合され、第１の辺２１が内側に湾曲する変形が矯正されるため、光制御シート５〜８が第１の辺２１で押圧されてシワを生じるようなことがなく、光制御シート５〜８のシワに起因する出射光の輝度ムラを生じることがない。
【００３４】
また、本実施の形態に係る面光源装置１は、リフレクター１３の第２の板状部３８に形成した突起４１をリフレクター支持体１４の板状基部４３に形成した穴４２に係合し、リフレクター支持体１４に対してリフレクター１３を位置決めすることができ、仮にリフレクター１３が図１７に示すように内側に湾曲変形していても（板金加工に伴う反りを生じていても）、そのリフレクター１３の変形を矯正できるため、蛍光ランプ１２と導光板４の入射面１０との間隔を適正な状態に保持でき、導光板４の出射面３６の入射面１０側端部をリフレクター１３の第１の板状部３７で確実に遮蔽でき、蛍光ランプ１２の光が導光板４の出射面３６から導光板４の内部に入射するのを効果的に防止できる。しかも、上述のように、リフレクター１３の変形を矯正し、蛍光ランプ１２と導光板４の入射面１０との間隔を適正な状態に保持できるため、光制御シート５〜８がリフレクター１３で押圧されてシワを生じるようなことがない。したがって、本実施の形態によれば、導光板４の出射面３６からの入射光に起因する出射光の輝度ムラの発生を防止できる。
【００３５】
また、本実施の形態に係る面光源装置１は、リフレクター１３の突起４１及びこの突起４１に係合するリフレクター支持体１４の穴４２が反射シート３で覆われるため、リフレクター１３の突起４１やリフレクター支持体１４の穴４２が導光板４の出射面３６側から視認されることがなく、また光漏れ等の不具合を生じることもない。
【００３６】
また、本実施の形態に係る液晶表示装置１は、液晶表示パネル１６が上述のような面光源装置１により面状の均一の照明光で照明されることになり、より一層明るくて見易い画像表示が可能になる。
【００３７】
尚、本実施の形態は、リフレクター１３の突起４１とリフレクター支持体１４の穴４２を１箇所に形成する態様を例示したが、これに限られず、リフレクター１３の突起４１とリフレクター支持体１４の穴４２をそれぞれ複数個形成するようにしてもよい。
【００３８】
また、本実施の形態において、突起４１は、リフレクター１３の第２の板状部３８の先端に形成されているが、これに限られず、反射シート３の下面側に位置する部分（第２の板状部３８の一部分）に形成すればよい。
【００３９】
また、本実施の形態において、突起４１は、リフレクター１３の第２の板状部３８の先端を下面側（リフレクター支持体１４の板状基部４３側）に切り起こすように形成されているが、第２の板状部３８を下面側へ部分的に膨出させるようにして形成してもよい。この場合、リフレクター支持体１４の板状基部４３には、膨出突起に凹凸係合する凹み又は穴が形成される。加えて、突起をリフレクター支持体１４の板状基部４３に形成し、その突起に係合する穴又は凹部をリフレクター１３の第２の板状部３８に形成するようにしてもよい。この場合、突起が第２の板状部３８の上面側に突出しないようにするのが望ましい。
【００４０】
また、本実施の形態において、リフレクター支持体１４のフック２６の下面側に突起を形成し、この突起に係合する凹みをフレーム２の第１の辺２１に形成し、フック２６の突起と第１の辺２１の凹みを凹凸係合させることにより、フレーム２の第１の辺２１の湾曲変形を矯正するようにしてもよい。
【００４１】
また、本実施の形態において、リフレクター支持体１４にフック２６を２箇所形成する態様を例示したが、フレーム２の第１の辺２１の湾曲変形を矯正できるかぎり、フック２６及びこれに係合する突起２８は１個のみでもよく、又フック２６及びこれに係合する突起２８は３個以上形成するようにしてもよい。
【００４２】
また、本実施の形態において、リフレクター支持体１４の板状基部４３の先端側で且つ反射シート３の下面側に位置する部分に、蛍光ランプ１２の軸線方向に略沿うように延びるリブ５２，５３が形成されており、これにより、リフレクター支持体１４の剛性が高められている。
［第２の実施の形態］
本実施の形態は、リフレクター１３の反りを矯正するための手段として、上述の第１の実施の形態と異なる態様を例示するものである。すなわち、本実施の形態に係る面光源装置１は、図１３に示すように、蛍光ランプ１２に嵌合された一対のＯリング（環状部材）３５，３５の間のほぼ中央部に、複数のＯリング（環状部材）５４が密接させられた状態で配置されている。
【００４３】
このように構成することにより、リフレクター１３が内側に湾曲変形するような反りを生じている場合（図１７参照）、棒状の蛍光ランプ１２もリフレクター１３によって湾曲変形させられ、蛍光ランプ１２のほぼ中央部の変形量が最も大きくなって、蛍光ランプ１２のほぼ中央部に配置された複数のＯリング５４が導光板４の入射面１０に押圧されることも考えられる。しかし、本実施の形態によれば、導光板４の入射面１０から受ける押圧力を複数のＯリング５４で分散することができるため、一対のＯリング３５，３５と同様のＯリング３５を１個だけ蛍光ランプ１２の中央部に配置する場合に比較し、個々のＯリング５４の弾性変形量が少なくなり、導光板４と蛍光ランプ１２との間に十分なスペースを確保することができる。換言すれば、リフレクター１３の反りが蛍光ランプ１２のほぼ中央部に配置された複数のＯリング５４によって矯正され、蛍光ランプ１２と導光板４との間に十分なスペースを確保することができる。尚、蛍光ランプ１２のほぼ中央部に配置される複数のＯリング５４の幅寸法Ｗは、一対のＯリング３５，３５の線径をｄとする場合、Ｗ＝２ｄ〜４ｄとするのが好ましい。Ｗ＜２ｄではリフレクター１３を矯正する効果を十分得ることができず、Ｗ＞４ｄでは光を遮る部分が大きくなりすぎ、この遮光部分が出射光の輝度のばらつきとして視認される虞があるからである。
【００４４】
このような構成の本実施の形態によれば、蛍光ランプ１２のほぼ中央部に配置された複数のＯリング５４によってリフレクター１３の変形を矯正できるため、蛍光ランプ１２と導光板４の入射面１０との間のスペースを十分確保でき、導光板４の出射面３６の入射面１０側端部をリフレクター１３の第１の板状部３７で確実に遮蔽でき、蛍光ランプ１２の光が導光板４の出射面３６から導光板４の内部に入射するのを効果的に防止できる。しかも、上述のように、リフレクター１３の変形を矯正し、蛍光ランプ１２と導光板４の入射面１０との間のスペースを十分に確保できるため、光制御シート５〜８がリフレクター１３で押圧されてシワを生じるようなことがない。したがって、本実施の形態によれば、上述の第１の実施の形態と同様に、導光板４の出射面３６からの入射光に起因する出射光の輝度ムラの発生を防止できる。
【００４５】
尚、上述の第２の実施の形態は、複数のＯリング５４を密接させた状態で蛍光ランプ１２の略中央部に配置する態様を例示したが、これに限られず、図１４及び図１５（ａ）に示すように、略円筒状のゴム製リング（弾性部材）５５を一対のＯリング３５，３５のほぼ中間部に嵌合するようにしてもよい。ここで、リング５５は、図１５（ｂ）に示すように、幅方向全長にわたるスリット５６を形成し、蛍光ランプ１２への嵌合作業を容易にしてもよい。このような構成によっても、上述の第２の実施の形態と同様の効果を得ることができる。尚、リング５５の幅寸法Ｗは、上述の第２の実施の形態と同様に、Ｏリング３５の線径をｄとすると、Ｗ＝２ｄ〜４ｄとすることが好ましい。
【００４６】
また、上述の第２の実施の形態において、複数のＯリング５４を密接させた状態で蛍光ランプ１２の略中央部に配置する態様を例示したが、各Ｏリング５４を僅かに離した状態で配置するようにしてもよい。
【００４７】
（その他の実施の形態）
上記の各実施の形態に係る面光源装置１は、第１の光制御シート５で導光板４の出射面３６から出射される光を拡散して輝度分布の均一化を図り、次いで、第２及び第３の光制御シート６，７で導光板４の出射面３６の法線方向へ集光し、照明に有効に利用し得る光の割合を増大させ、明るく均一な面照明を行うようになっている。これら各実施の形態の面光源装置１において、例えば、第２の光制御シート６には蛍光ランプ１２に対して略平行な方向に延びる断面略三角形状のプリズム面が蛍光ランプ１２に直交する方向に多数形成され、第３の光制御シート７には第２の光制御シート６のプリズム面に略直交する方向へ延びる断面略三角形状のプリズム面が多数形成されるようになっている。第４の光制御シート８は、主として上記の如きプリズム面の傷付きを防止するための保護シートとして用いられるが、照明光のより一層の均一化を図るために拡散シートとしての機能が必要に応じて与えられる。
【００４８】
また、本発明は、これら各実施の形態に係る面光源装置１の態様に限られるものでなく、例えば、導光板４の下面５１に第２の光制御シート６のプリズム面と同様のプリズム面を形成し、第２の光制御シート６を省略するようにしてもよい。加えて、本発明は、導光板４の出射面３６側に少なくとも一枚の光制御シートを配置する構成であればよい。即ち、導光板４や光制御シート５〜８の具体的な構成としては、この種の面光源装置１において従来より知られている種々の構成を採用することができる。
【００４９】
また、上記各実施の形態は、導光板４の入射面１０に直交する縦断面形状が略楔形形状のものを例示したが、これに限られず、例えば、導光板４の入射面１０に直交する縦断面形状が略矩形形状のものや、その他の断面形状のものを使用するようにしてもよい。
【００５０】
また、上記の実施の形態において、光源ユニット１１は、導光板４の入射面１０側にのみ配置されているが、これに限られず、導光板４の複数の側面に配置するようにしてもよい。
【図面の簡単な説明】
【００５１】
【図１】本発明の第１の実施の形態に係る面光源装置の平面図を示すものである。
【図２】第１の実施の形態に係る面光源装置を分解して示す平面図である。
【図３】図１のＡ−Ａ線に沿って切断して示す面光源装置の拡大断面図である。
【図４】フレームの平面図である。
【図５】図４のＢ方向から見た図（側面図）である。
【図６】図５のＣ方向から見た図（フレームの第１の辺側の下面を示す図）である。
【図７】図５のＤ−Ｄ線に沿って切断して示す拡大断面図である。
【図８】リフレクター支持体のフックとフレームの突起との係合状態を示す図である。
【図９】蛍光ランプを収容したリフレクターの平面図である。
【図１０】光源ユニットの平面図である。
【図１１】光源ユニットが取り付けられたフレームの平面図である。
【図１２】リフレクターとリフレクター支持体を部分的に示す斜視図である。
【図１３】本発明の第２の実施の形態に係る蛍光ランプを示す図である。
【図１４】第２の実施の形態の変形例に係る蛍光ランプを示す図である。
【図１５】（ａ）はリングの第１の例を示す斜視図であり、（ｂ）はリングの第２の例を示す斜視図である。
【図１６】従来の面光源装置を示す平面図である。
【図１７】従来の蛍光ランプとリフレクターを示す平面図である。
【図１８】図１６のＥ−Ｅ線に沿って切断して示す拡大断面図である。
【図１９】フレームの湾曲変形状態を示す面光源装置の断面図である。
【図２０】リフレクターの反りに起因する従来の面光源装置の不具合発生状態を示す断面図である。
【図２１】図２０の一部を拡大して示す断面図である。
【符号の説明】
【００５２】
１……面光源装置、２……フレーム、４……導光板、５〜８……光制御シート、１０……入射面（側面）、１１……光源ユニット、１２……蛍光ランプ（棒状光源）、１３……リフレクター、１４……リフレクター支持体、１６……液晶表示パネル（画像表示パネル）、２６……フック、３５……Ｏリング（環状部材）、３６……出射面、５０……液晶表示装置（画像表示装置）、５４……Ｏリング（環状部材）、５５……リング（環状部材）
【図１】
2005050821.tif 000003
【図２】
2005050821.tif 000004
【図３】
2005050821.tif 000005
【図４】
2005050821.tif 000006
【図５】
2005050821.tif 000007
【図６】
2005050821.tif 000008
【図７】
2005050821.tif 000009
【図８】
2005050821.tif 000010
【図９】
2005050821.tif 000011
【図１０】
2005050821.tif 000012
【図１１】
2005050821.tif 000013
【図１２】
2005050821.tif 000014
【図１３】
2005050821.tif 000015
【図１４】
2005050821.tif 000016
【図１５】
2005050821.tif 000017
【図１６】
2005050821.tif 000018
【図１７】
2005050821.tif 000019
【図１８】
2005050821.tif 000020
【図１９】
2005050821.tif 000021
【図２０】
2005050821.tif 000022
【図２１】
2005050821.tif 000023